(57)【要約】【課題】設置面に対する手すりの支柱の角度を無段階に調整することが可能な手すりを提供する。【解決手段】本願発明に係る手すりでは、角度調整部３が、関節３０と、雄ねじを有するネジ等の固定部材６と、雌ねじを有する摺動子７とを備え、当該関節３０にて設置面に対する支柱の角度を選択することが可能なものであり、且つ、固定部材６を関節３０に取付けることにて選択した角度を維持するものである。そして、上記の摺動子７を、支柱の長手方向に沿って摺動可能に関節３０内へ収容し、固定部材６の雄ねじを、支柱の長手方向について余裕を持たせて外部より関節３０内に挿入し、摺動子７の雌ねじに螺合させると共に、固定部材６の先端を摺動子７から突出させて関節３０内部と当接させることにより、上記の角度の維持が行えるものである。【選択図】　　　　　図２
2004027540.tif 000002
【特許請求の範囲】
【請求項１】
把持部（１）　と、把持部（１）　を支持する支柱（２）　と、角度調整部（３）　とを備え、支柱と設置面或いは把持部（１）　との間の角度を角度調整部（３）　によって調整するようにした手すりにおいて、
角度調整部（３）　は、位置決め部材（４）　と位置決め部材を中心として相対的に回動する回動部材（５）　との二つの部材を備えた関節（３０）を備え、
回動部材（５）　は、雌ねじを備えると共に、この雌ねじに螺合して位置決め部材（４）　に達する固定部材（６）　が配設され、
位置決め部材（４）　には、固定部材（６）　を受容する受容部（８）　が複数段設けられることにより、関節のなす角度を複数段に調整して固定するものであり、
回動部材（５）　に対して摺動可能に摺動子（７）　が取り付けられ、この摺動子（７）　に上記の雌ねじが設けられることにより、上記の複数段の受容部による調整角度より細かな調整を可能としたことを特徴とする手すり。
【請求項２】
把持部（１）　を支柱（２）　によって設置面に配設するようにした手すりに用いられ、手すりを構成する部材間の角度や設置面に対する角度を調整して固定するための手すり用角度調整機構において、
角度調整機構は、位置決め部材（４）　と位置決め部材を中心として相対的に回動する回動部材（５）　との二つの部材を備えた関節（３０）を備え、
回動部材（５）　は、雌ねじを備えると共に、この雌ねじに螺合して位置決め部材（４）　に達する固定部材（６）　が配設され、
位置決め部材（４）　には、固定部材（６）　を受容する受容部（８）　が複数段設けられることにより、関節のなす角度を複数段に調整して固定するものであり、
回動部材（５）　に対して摺動可能に摺動子（７）　が取り付けられ、この摺動子（７）　に上記の雌ねじが設けられることにより、上記の複数段の受容部による調整角度より細かな調整を可能としたことを特徴とする手すり用角度調整機構。
【発明の詳細な説明】
【０００１】
【発明の属する技術分野】
本願発明は、手すり及びこれに用いられる角度調整機構の改良に関する。
【０００２】
【従来の技術】
高齢者のいる家庭などでは、住居の床や玄関口付近に、手すりを設けて、高齢者の歩行を補助することが、一般的である。このような手すりは、歩行するものが掴むための把持部と、把持部を支持する複数の支柱と、支柱を床や地面などの設置面に固定する設置部とにより構成される。
【０００３】
このような手すりを、スロープのある床や地面などに設置する場合、支柱を鉛直に保つために、設置面の傾斜に対応して、角度調整部を設置面に対して支柱の固定角度を９０度以外の角度に固定するものとする必要がある。
しかし、上記のスロープの傾斜毎に、当該傾斜角度に対応する設置部を用意するのでは、手間やコストの点で現実にそぐわない。
この点、一つの設置部で、スロープの種々の傾斜角度に対応するものを提供できれば、上記の問題はないのであるが、種々のスロープに対応し得る手すり、即ち、きめ細やかに支柱の設置面に対する角度調整を行うことが可能な手すりが実用化されていないのが、現状である。
【０００４】
【発明が解決しようとする課題】
そこで、本願発明は、設置面に対する支柱の角度を無段階に調整することが可能な手すりを提供することを目的とする。
【０００５】
【課題を解決するための手段】
本願の請求項１に係る発明は、把持部（１）　と、把持部（１）　を支持する支柱（２）　と、角度調整部（３）　とを備え、支柱と設置面或いは把持部（１）　との間の角度を角度調整部（３）　によって調整するようにした手すりにおいて、
角度調整部（３）　は、位置決め部材（４）　と位置決め部材を中心として相対的に回動する回動部材（５）　との二つの部材を備えた関節（３０）を備え、
回動部材（５）　は、雌ねじを備えると共に、この雌ねじに螺合して位置決め部材（４）　に達する固定部材（６）　が配設され、
位置決め部材（４）　には、固定部材（６）　を受容する受容部（８）　が複数段設けられることにより、関節のなす角度を複数段に調整して固定するものであり、
回動部材（５）　に対して摺動可能に摺動子（７）　が取り付けられ、この摺動子（７）　に上記の雌ねじが設けられることにより、上記の複数段の受容部による調整角度より細かな調整を可能としたことを特徴とする手すりを提供することにより、上記の課題を解決する。
【０００６】
本願の請求項２に係る発明は、把持部（１）　を支柱（２）　によって設置面に配設するようにした手すりに用いられ、手すりを構成する部材間の角度や設置面に対する角度を調整して固定するための手すり用角度調整機構において、
角度調整機構は、位置決め部材（４）　と位置決め部材を中心として相対的に回動する回動部材（５）　との二つの部材を備えた関節（３０）を備え、
回動部材（５）　は、雌ねじを備えると共に、この雌ねじに螺合して位置決め部材（４）　に達する固定部材（６）　が配設され、
位置決め部材（４）　には、固定部材（６）　を受容する受容部（８）　が複数段設けられることにより、関節のなす角度を複数段に調整して固定するものであり、
回動部材（５）　に対して摺動可能に摺動子（７）　が取り付けられ、この摺動子（７）　に上記の雌ねじが設けられることにより、上記の複数段の受容部による調整角度より細かな調整を可能としたことを特徴とする手すり用角度調整機構を提供するものである。
【０００７】
【発明の実施の形態】
以下、図面に基づき本願発明の実施の形態について説明する。
図１は、手すりの略全体側面図であり、図２はその要部縦断面図である。図３は、角度調整後の上記手すりの要部縦断面図である。
各図中、Ｕは鉛直方向について上方を、Ｓは鉛直方向について下方を、示している。また、説明の便宜上、Ｆは手すりの前方を、Ｂは後方を示している。
【０００８】
図１に示す通り、この手すりは、把持部１と、把持部１を支持する支柱２と、支柱２を地面やなどの設置面に固定する角度調整部３とを備えたものである。ここで、支柱２の長手方向は、上記鉛直方向と一致する。
各部の構成について、順に説明する。
【０００９】
図２に示す通り、角度調整部３は、関節３０と、雄ねじを有する固定部材６と、雌ねじを有する板状の摺動子７とを備える。
関節３０は、地面や床等の建造物の設置面ｇに固定される位置決め部材４と、回動部材５とを備える。回動部材５は、支柱２下端に接続され且つ上記位置決め部材４に対して、軸芯４２によって回動可能に取り付けられものである。
【００１０】
位置決め部材４は、基板４０と基板４０の上面中央から上方に隆起する側面視円弧状の位置決め部４１とを備える。位置決め部４１の外周面に、上記固定部材６の先端と当接する複数の受容部８…８が配列される。この例では、受容部８…８を、すり鉢状に窪んだ凹部とし、位置決め部４１の周方向に沿って形成されている。
【００１１】
回動部材５は、上記位置決め部４１の外周面に沿う側面視円弧状の凹曲面５１を備える回動部９と、支柱２が取り付けられる円筒状の支柱取付部５２とを備える。回動部９は、位置決め部材４の位置決め部４１に被せられ、受容部８…８を覆う。回動部９と位置決め部４１の中心には、軸芯４２が通される。この軸芯４２にて、回動部材５は位置決め部材４に対して回動可能に取り付けられている。
【００１２】
図２に示すように、位置決め部材４の基板４０に対し回動部材５の支柱取付部５２を垂直にした状態において、位置決め部４１の一部を露出する切欠部４３が、回動部９の前方に設けられている。
【００１３】
また、回動部９（の後部側）内部には、上記の板状の摺動子７を収容する収容部５０が設けられている。図２に示す状態において、収容部５０の上下の幅は、収容した摺動子７が上下に変位することが可能なように、摺動子７の上下の幅よりも大きい。この摺動子７の摺動可能な範囲は、隣合う２つの受容部８、８間の長さの２分の１以上とする。
【００１４】
摺動子７には、前後に貫通する雌ねじ１１が設けられている。収容部５０は、摺動子７の前面について少なくとも上記雌ねじ１１を、位置決め部４１の受容部８…８に対面させる窓５３が設けられている。
【００１５】
回動部９には、その後部の表面から上記収容部５０に達する挿通孔１０が設けられている。挿通孔１０は、図１に示す状態において、上下方向に余裕を持って上記の固定部材６を通すことが可能な内径を有する（上下方向に長手を有する長孔としてもよい）。
【００１６】
図１へ示す通り、設置面ｇの傾斜に応じて支柱２を鉛直に立てるために、図３に示すように、位置決め部材４と回動部材５とを相対的に回動させ、支柱取付部５２の基板４０に対する角度を調整する。そして、固定部材６を、回動部９の挿通孔１０及び雌ねじ１１に通し、固定部材６先端と受容部８とを当接させた状態にして、雌ねじ１１に対して固定部材６を螺子締めする。ところが、受容部８…８は複数段の角度毎に設けられているため、無段階の角度設定はできない。そこで、摺動子７を摺動させることによって、角度の微調整が可能となり、固定部材６先端と受容部８とが合致した状態で所望の角度に設定することができる。
従って、受容部８の配置や個数に制限されることなく、無段階に上記の角度調整を行うことができる。
【００１７】
また、図３へ示すように、上記の回動部材５と位置決め部材４との間に、両者の角度の維持を補助する固定補助具１２を介することにより、支柱２をより確実に鉛直に保つことができる。
上記の固定補助具１２は、前方に傾斜部１３が形成された、基板４０と別体の部材である。
固定補助具１２は、基板４０の前後方向に摺動可能に取り付けられており、傾斜部１３と回動部９の下部とが当接させられる。この状態にて、基板４０に、ネジなどの固定部材１４（図４、図５参照）にて、固定補助具１２を固定する。これにて、より確実な角度の維持が可能となる。
【００１８】
本願発明は、種々変更して実施することができ、例えば、上記の実施の形態において、位置決め部材４に上記固定部材６の先端と当接する複数の受容部８が配列され、回動部材５に受容部８を覆う回動部９が設けられたものを示したが、この他、上記と逆に、回動部材５に上記固定部材６の先端と当接する複数の受容部８が配列され、位置決め部材４に受容部８を覆う回動部９が設けられたものとしても実施可能である。
図の実施の形態では、摺動子７は、直線的に摺動させものとしたが、関節における回動の軸芯を中心とする円弧にそって、摺動するものとしてもよい。また、固定部材６先端の形状と、受容部８の凹部の形状とは、面接触するように同一の形状としておくことが最も望ましいが、２点、場合によっては１点で接触するような異なる形状同士としてもよい。さらに、受容部８に雌ねじを設け、固定部材６の先端に雄ねじを設け、両ねじを螺合するようにしてもよい。また、必要に応じて、金属接着剤等の接着剤を挿通孔１０から注入する等して、関節内部に接着剤による接着を施してもよい。また、固定部材６には、その基端部に軸部より径の大きな頭部を設けてもよく、この頭部によって、有するものとして実施してもよく、この頭部によって回動部９を押圧するようにしてもよい。その場合、座金、特にバネ座金を用いることも好ましい。逆に、頭部のないものとして実施したり、或いは、頭部があっても締め付け状態で回動部９に接触しないものとして実施することもできるが、固定の確実性を向上させるためには、上記の接着剤を併用することが望ましい。この角度調整機構は、支柱と手すりとの間に設けて実施してもよい。設置面は、地面や床面の他、壁面等の他の箇所としてもよい。
【００１９】
【発明の効果】
本願発明は、設置面に対する手すりの支柱の角度を無段階に調整することが可能な手すり並びにその角度調整機構を提供することができたものである。
【図面の簡単な説明】
【図１】本願発明の一実施の形態に係る手すりの略全体側面図である。
【図２】図１の要部縦断面図である。
【図３】角度調整後の上記手すりの要部縦断面図である。
【図４】同斜視図である。
【図５】同分解斜視図である。
【図６】回動部材を下方から見た斜視図である。
【符号の説明】
１　　把持部
２　　支柱
３　　角度調整部
４　　位置決め部材
５　　回動部材
６　　固定部材
７　　摺動子
８　　受容部
９　　回動部
１１　　雌ねじ
１２　　固定補助具
３０　　関節
【図１】
2004027540.tif 000003
【図２】
2004027540.tif 000004
【図３】
2004027540.tif 000005
【図４】
2004027540.tif 000006
【図５】
2004027540.tif 000007
【図６】
2004027540.tif 000008